(57)【要約】【課題】  ユーザーニーズに合ったインデックスプリントを作成できるようにする。【解決手段】  フォーマット選択画面６７には、インデックスプリントの複数のフォーマットに対応するテンプレートが表示される。各フォーマットは、コマ数，サムネイル画像のサイズ，画像付帯情報が印字されるエリアの大きさ，用紙サイズ等を規定する。また、付帯情報選択画面７６は、インデックスプリントに印字する画像付帯情報を指定する。画像付帯情報としては、ファイル名，撮影日付，撮影条件，プリント注文情報などがある。これらの画面によって、ユーザーの希望に応じたフォーマットや、画像付帯情報を指定する。この指定に応じてインデックス画像を生成し、インデックスプリントとして出力する。【選択図】        図６
2005038308.tif 000002
【特許請求の範囲】
【請求項１】
複数の縮小画像が配列されたインデックス画像を作成するインデックス画像作成方法において、
指定手段によって前記縮小画像のコマ数やサイズを規定するフォーマット及び前記各縮小画像の付帯情報の内容を指定し、この指定内容に応じて前記インデックス画像を作成するインデックス画像作成方法。
【請求項２】
複数の縮小画像が配列されたインデックス画像を作成するインデックス画像作成装置において、
前記縮小画像のコマ数やサイズを規定するフォーマット及び前記各縮小画像の付帯情報の内容を指定する指定手段を備えたことを特徴とするインデックス画像作成装置。
【発明の詳細な説明】
【技術分野】
【０００１】
本発明は、複数のコマ画像が配列されたインデックス画像を作成するインデックス画像作成方法及び装置に関するものである。
【背景技術】
【０００２】
デジタルカメラなどで撮影したコマ画像のデータを保存しておくことができるように、前記コマ画像データをＣＤやＤＶＤなどのストレージメディアに書き込むフォトデータ書き込みサービスが知られている。このフォトデータ書き込みサービスの付加サービスとして、ストレージメディアに書き込んだ複数のコマ画像のサムネイル画像（縮小画像）を画面内に配列したインデックス画像を生成し、これをプリントしたインデックスプリントを提供するサービスが知られている。インデックスプリントは、ストレージメディア内に格納されたコマ画像の目次として利用することができるので、顧客にとっては非常に便利なものである。周知のように、インデックスプリントは、以前から写真プリントサービスの付加サービスとして広く利用されている。しかし、写真プリントと異なりストレージメディアはプレーヤーが無ければ画像を確認することができないため、フォトデータ書き込みサービスにおいて、ストレージメディアにインデックスプリントを付加して提供することは、特に有用である。
【０００３】
このインデックスプリントの利便性を高めるために、例えば、各コマ画像の他に、これら各コマ画像の画像付帯情報を印字したり、撮影日付単位でインデックス画像を出力するなど様々な改良が加えられている（例えば、下記特許文献１，２，３参照）。画像付帯情報としては、撮影日付，画像データのファイル名，シャッタスピードやストロボの使用の有無などの撮影条件，各コマの識別番号などがある。
【特許文献１】特開平５−１１３５３号公報
【特許文献２】特開平８−５０３３６号公報
【特許文献３】特開２００１−３１２０１５号公報
【発明の開示】
【発明が解決しようとする課題】
【０００４】
インデックスプリントに関するユーザーニーズを調査したところ、サムネイル画像のサイズを犠牲にしても多量の画像付帯情報を要望するユーザーが存在する一方、画像付帯情報の量は少なくてもサイズの大きいサムネイル画像を要望するユーザーがいるなど、ユーザー毎にニーズは多様であることが分かった。しかしながら、従来のインデックスプリントでは、インデックスプリントに印字される画像付帯情報が予め決められていたため、こうした多様なニーズに応えることはできなかった。
【０００５】
本発明は、ユーザーのニーズに合ったインデックス画像を作成することができるインデックス画像作成方法及び装置を提供することを目的とする。
【課題を解決するための手段】
【０００６】
本発明のインデックス画像作成方法は、複数の縮小画像が配列されたインデックス画像を作成するインデックス画像作成方法において、指定手段によって前記縮小画像のコマ数やサイズを規定するフォーマット及び前記各縮小画像の付帯情報の内容を指定し、この指定内容に応じて前記インデックス画像を作成することを特徴とする。
【０００７】
本発明のインデックス画像作成装置は、複数の縮小画像が配列されたインデックス画像を作成するインデックス画像作成装置において、前記縮小画像のコマ数やサイズを規定するフォーマット及び前記各縮小画像の付帯情報の内容を指定する指定手段を備えたことを特徴とする。
【発明の効果】
【０００８】
本発明は、指定手段によってインデックス画像のフォーマットやインデックス画像を構成する縮小画像の付帯情報の内容を指定し、この指定内容に応じてインデックス画像を作成するようにしたから、ユーザーのニーズに合ったインデックス画像を提供することができる。
【発明を実施するための最良の形態】
【０００９】
図１に示すデジタルイメージング端末装置１０は、デジタルカメラで撮影され、メモリーカード１１にデジタルデータとして記録されたコマ画像データを取り込み、この画像データを、リムーバブルストレージメディアであるＣＤメディアに書き込んでフォトＣＤ１２を作成するフォトデータ書き込み処理を行うとともに、プリントするコマ画像の指定を行い、プリント指定がなされた画像データを写真プリンタ１３に転送する。また、デジタルイメージング端末装置１０は、ＣＤメディアに書き込み指定したコマやプリント指定したコマのインデックス画像を生成し、このインデックス画像を用紙にプリントして、インデックスプリント１４を作成する。
【００１０】
図２に示すように、メモリーカード１１には、画像フォルダが生成され、この画像フォルダに撮影した各コマの画像データが格納される。画像データは、周知のＥｘｉｆフォーマットの画像ファイル１６として記録される。画像ファイル１６は、画像データの他に、撮影日付や撮影条件などの画像付帯情報が格納されるＥｘｉｆタグを付加したものである。撮影条件としては、シャッタスピード，Ｆ値，ストロボ発光の有無などが含まれる。また、Ｅｘｉｆタグには、撮影条件の他にも、撮影場所の位置を表す撮影場所情報，カメラの機種情報など各種のデータを格納するエリアが規定されているとともに、メーカーが任意に使用できるメーカーノート（Maker Note）エリアが確保されている。
【００１１】
画像データは、例えば、ＪＰＥＧ形式で圧縮処理が施される。画像ファイル１６には、例えば、「ＤＳＣＦｎｎｎｎ」にＪＰＥＧ形式の拡張子「ＪＰＧ」を付加したファイル名が付与される。ここで「ｎｎｎｎ」は、メモリーカード１１への書き込み順に付与される一連番号である。
【００１２】
インデックスプリント１４は、フォトＣＤ１２や、写真プリンタ１３が出力する写真プリントとともに顧客に提供される。フォトＣＤ１２とともに提供する場合には、例えば、メディアケース１８に収納できるように、インデックスプリント１４の用紙として、メディアケース１８のサイズに合った正方形の用紙が使用される。
【００１３】
デジタルイメージング端末装置１０は、システムコントローラ２１，カードリーダ２２，画像処理部２３，ストレージデバイス２４，ネットワークインタフェース２６，ディスプレイ２７，操作部２８，インデックス用プリンタ２９，記録型メディアドライブ３１からなる。システムコントローラ２１は、ＣＰＵ，ＲＯＭ，ＲＡＭなどから構成されており、操作部２８からの指示に基づいて、デジタルイメージング端末装置１０の各部を統括的に制御する。操作部２８は、マウスやキーボードなどからなり、システムコントローラ２１に対して操作コマンドを入力する入力デバイスである。ディスプレイ２７は、操作画面や取り込まれた画像を表示する。なお、操作部とディスプレイとを兼用するタッチパネル式のディスプレイを使用してもよい。
【００１４】
カードリーダ２２は、メモリーカード１１にアクセスしてデータの読み取りを行う。ストレージデバイス２４は、オペレーティングシステムや各種のプログラムが記憶されており、さらに、カードリーダ２２によって取り込まれたデータを蓄積するためにも使用される。ストレージデバイス２４としては、例えば、ハードディスクドライブが使用される。画像処理部２３は、インデックス画像の生成などの各種の画像処理を実行する。
【００１５】
ネットワークインタフェース２６は、写真プリンタ１３とデータ通信可能に接続するための通信インタフェースであり、このネットワークインタフェース２６を経由してプリント指定された各コマの画像データが写真プリンタ１３へ転送される。写真プリンタ１３は、プリント指定されたコマの画像データに基づいて、印画紙にレーザー光を照射して潜像を形成した後、現像処理を施すことにより高精細な写真プリントを出力する。
【００１６】
記録型メディアドライブ３１は、ＣＤメディアにアクセスしてデータの書き込みを行う。この記録型メディアドライブ３１によって、保存指定された画像データがＣＤメディアに書き込まれてフォトＣＤ１２が作成される。
【００１７】
インデックス用プリンタ２９は、プリント指定したコマや、保存指定したコマのインデックス画像を用紙に記録する。インデックス用プリンタ２９としては、例えば、用紙として感熱記録紙を用い、サーマルヘッドの加熱により発色記録するサーマルプリンタが使用される。もちろん、サーマルプリンタに限らず、記録紙にインクを噴射して画像を記録するインクジェットプリンタや、感光ドラムにレーザー光を照射して静電潜像を形成し、この感光ドラムに付着させたトナーを用紙に転写するレーザープリンタなど各種のプリンタを使用してもよい。
【００１８】
図３は、ディスプレイ２７に表示される操作画面であるサービス選択画面３６を示す。サービス選択画面３６には、当該端末装置１０が提供するデジタルプリントサービス及びフォトＣＤ作成サービスのそれぞれのサービスを選択するサービス選択ボタン３６ａ，３６ｂが設けられる。それぞれのサービス選択ボタン３６ａ，３６ｂにポインタ３７を合わせてクリックすると、操作画面が、画像選択画面に切り替わる。
【００１９】
図４は、デジタルプリント画像選択画面４１を示す。この画像選択画面４１は、上方から順に、メッセージ表示エリア４２，コマ表示エリア４３，操作ボタン表示エリア４４の３つのエリアに区画されている。コマ表示エリア４３には、メモリーカード１１やストレージデバイス２４に格納された画像データがサムネイル表示される。各サムネイル画像（ＰＩＣ１〜ＰＩＣｎ）はマトリックス状に配列されてインデックス表示される。コマ表示エリア４３の右隅には、画面をスクロールするためのスクロールバーが配置される。
【００２０】
各コマ画像の下方には、各コマの画像データの記録画素数を表示する記録画素数表示エリア４３ａが設けられている。記録画素数は、ドット数を示す数値ではなく、★印などのマークによって表記される。この★印の数によっておおよその記録画素数が確認できるようになっている。★印の数は、例えば、１０２４×７６８ドット（ＸＧＡサイズ）以上が一つ星「★」，１６００×１２００ドット（ＵＸＧＡサイズ）以上が二つ星「★★」，２０４８×１５３６ドット（ＱＶＧＡサイズ）以上が三つ星「★★★」、ＸＧＡサイズ未満は★がゼロと決められる。周知のとおり、記録画素数はプリント画質に影響するので、この★印によって各コマ画像のプリント適正を評価する目安として用いることができる。また、記録画素数を★印の数によって表記することにより、ドット数を数字で表記するのに比べて、ユーザーにとってより分かりやすいものとなる。
【００２１】
プリントするコマの指定は、ポインタ３７を所望のコマに合わせてクリックすることにより行われる。指定されたコマは、例えば、その周囲に枠が表示されるなど、未指定のコマと識別が可能なように表示される。
【００２２】
操作ボタン表示エリア４４には、戻るボタン４６，インデックスプリントボタン４７，注文ボタン４８，取り込みボタン４９，全コマ選択ボタン５１，フォルダ選択ボタン５２，選択画像の確認ボタン５３が配置されている。戻るボタン４６をクリックすると、前画面に復帰する。注文ボタン４８は、指定したコマのプリント注文処理を実行する指示を与えるボタンである。この注文ボタン４８がクリックされると、指定されたコマの画像データが写真プリンタ１３に転送される。インデックスプリントボタン４７は、プリント指定したコマのインデックスプリントを作成する際に使用される。
【００２３】
取り込みボタン４９は、取り込み指示を与えるボタンであり、これをクリックすることにより、メモリーカード１１からのデータ読み取りが開始され、取り込まれた画像データに基づいてコマ表示エリア４３に表示されるインデックス画像が生成される。画像データの読み取り元のフォルダとしては、メモリーカード１１内の所定のフォルダが設定されており、特段の指示がない限りそのフォルダから取り込みが行われる。フォルダ選択ボタン５２は、既定のフォルダとは別のフォルダを指定する場合に使用される。全コマ選択ボタン５１は、取り込んだ全コマを一括してプリント指定する場合に使用される。選択画像の確認ボタン５３は、プリント指定したコマ画像を確認するためのボタンであり、これをクリックすると、プリント指定したコマ画像だけがコマ表示エリア４３に表示される。
【００２４】
サービス選択画面３６において、デジタルプリントサービスを選択した場合と同様に、フォトＣＤ作成サービスを選択した場合にも、画像選択画面４１とほぼ同様の画面（図示せず）が表示される。フォトＣＤ作成サービスの画像選択画面は、注文ボタンの代わりにＣＤメディアへのデータ書き込み指示を与えるボタンが設けられていたり、また、記録画素数を表す表示が無いなど多少の違いはあるものの、それ以外は画像選択画面４１と同様であるので説明を省略する。
【００２５】
図５は、インデックスプリント作成画面５６を示す。画像選択画面において、インデックスプリントボタン４７をクリックすると、操作画面がこのインデックスプリント作成画面５６に切り替わる。インデックスプリント作成画面５６は、インデックス画像５７を表示する画像表示エリア５８と、操作ボタンを表示する操作ボタン表示エリア５９に区画されている。インデックス画像５７は、プリント指定又は保存指定がなされたコマ画像のデータに基づいて作成される。
【００２６】
操作ボタン表示エリア５９には、プリントボタン６１，ソートボタン６２，出力オプションボタン６３が配置されている。プリントボタン６１は、画像表示エリア５８に表示されたインデックス画像５７をインデックス用プリンタ２９でプリント処理を実行するように指示する。
【００２７】
ソートボタン６２は、インデックス画像５８に含まれる各サムネイル画像（ＰＩＣ１〜ｎ）の配列順序を変更するボタンである。配列順序としては、ファイル作成日付（メモリーカード１１への書き込み順），撮影日付順などを指定することができる。画像ファイルをメモリカード間でコピーした場合など、画像ファイルの作成日付と撮影日付とが一致しない場合がある。この場合、コマをファイル作成日付順で配列すると、撮影日付が古いコマがそれよりも新しいコマの後に配列されてしまうことになる。ソートボタン６２により配列順序を変更できるようにしたので、こうした不都合を回避することができる。
【００２８】
出力オプションボタン６３は、インデックス画像５７の１画面内のコマ数や、コマ画像のサイズなどを規定するフォーマットを指定したり、各コマ毎に表示される画像付帯情報の内容を指定する際に使用される。
【００２９】
図６に示すように、出力オプションボタン６３をクリックすると、オプションメニュー６６がポップアップ表示される。このオプションメニュー６６から、「フォーマット選択」をクリックすると、インデックス画像５７のフォーマットを選択するフォーマット選択画面６７が表示され、「付帯情報選択」をクリックすると、画像付帯情報の内容を指定する付帯情報選択画面６８が表示される。フォーマット選択画面６７には、フォーマットが異なる複数のインデックス用のテンプレート７１〜７４が表示される。各フォーマットによって既定される要素としては、用紙サイズ，コマ数，各サムネイル画像のサイズ，付帯情報印字エリアの大きさなどがある。用紙サイズとしては、メディアケース１８に収まるサイズの他、このサイズよりも横長のものなど各種のものが用意される。
【００３０】
テンプレート７１は、フォトＣＤ用のインデックスプリントに用いられる標準のテンプレートとして設定されており、用紙サイズとしては、メディアケース１８に収まるサイズが設定されている。テンプレート７１は、例えば、１画面のコマ数が縦７コマ×横７コマで合計４９コマで、サムネイル画像のサイズが縦約６ｍｍ×横約１５．５ｍｍに設定されている。そして、付帯情報印字エリアは、各コマの下方に確保されている。このテンプレート７１を使用して、例えば、２００コマ分のインデックスプリントを作成する場合には、４〜５枚のインデックスプリントが出力される。
【００３１】
また、テンプレート７２〜７４も、フォトＣＤ用のインデックスプリントに用いられるもので、用紙サイズは、テンプレート７１と同様である。テンプレート７２は、コマ数が縦８コマ×横７コマで合計５６コマと、標準のテンプレート７１よりもコマ数を多く確保している。その反面、サムネイル画像のサイズ及び付帯情報印字エリアの大きさは、標準のテンプレート７１と比較すると多少小さい。
【００３２】
また、テンプレート７３は、コマ数を縦５コマ×横３コマで合計１５コマと、標準のテンプレート７１よりもコマ数を極端に減らす代わりに、サムネイル画像のサイズを大きくするとともに、付帯情報印字エリアをたっぷりと確保したものである。このテンプレート７３では、付帯情報印字エリアが各サムネイル画像の横に確保される。このテンプレート７３を使用すれば、付帯情報を多く印字することができる。
【００３３】
また、テンプレート７４では、コマ数及び付帯情報印字エリアを小さくする代わりに、サムネイル画像のサイズを大きくしている。こうしたサムネイル画像のサイズが大きいテンプレート７４を使用すると、サムネイル画像から、人物の表情や構図など被写体の内容を正確に読み取ることができるので、便利である。
【００３４】
これらのテンプレート７１〜７４の例は、１例であり、これ以外にも、用紙の形やサイズ，サムネイル画像のサイズ，付帯情報印字エリアのサイズを変更したり、コマ数を変更したり、また、列毎にコマを千鳥状に配置するというようにコマのレイアウトを変更するなど、フォーマットの各要素を種々変更した各種のテンプレートを使用することができる。
【００３５】
付帯情報選択画面６８では、付帯情報印字エリアに印字可能な各種の項目が表示されており、これらの項目の横には、チェックボックス７６が設けられている。このチェックボックス７６にポインタ３７を合わせてマウスでクリックしてチェックマークを入れることにより、印字する情報を指定する。情報項目の種類としては、例えば、ファイル名，撮影日付，撮影条件，プリント注文情報などがある。ファイル名の項目では、さらに、拡張子の有無を指定できるようになっている。また、撮影日付では、例えば、年月日をドット「．」で区切るか、スラッシュ「／」で区切るか、西暦を４桁で表示するか、下２桁で表示するかなどを規定する書式を指定することができる。さらに、撮影日付では、撮影時刻を印字するか否かを指定することができる。また、撮影条件では、シャッタスピード，Ｆ値，ストロボ発光の有無をそれぞれ印字するか否かを個別に指定できるようになっている。プリント注文情報とは、各コマ画像をプリント注文したか否かを表す情報である。標準の設定では、撮影日付とファイル名が指定されている。
【００３６】
上述したとおり、撮影日付や撮影条件のデータは、画像ファイル内のＥｘｉｆｔａｇに格納されており、このデータが読み出されてインデックス画像に使用される。プリント注文情報は、例えば、プリント指定時にストレージデバイス２４内に蓄積された各コマの指定情報が使用される。もちろん、プリント指定情報を、メモリカード１１内の画像ファイル１６に格納し、そのデータをインデックス画像に使用してもよい。画像ファイル１６にプリント指定情報を格納しておけば、次回のプリント注文時に、そのデータに基づいて既にプリント済みか否かを識別することができるから、便利である。
【００３７】
図７に示すインデックスプリント８１は、付帯情報の項目として、ファイル名と撮影日付を指定した例である。このインデックスプリント８１では、ファイル名の拡張子は指定されていない。撮影日付については、年月日をスラッシュで区切る書式が指定されるとともに、撮影時刻まで印字するように指定されている。なお、付帯情報の色としては、例えば、黒が使用されるが、もちろん、他の色を使用してもよい。また、付帯情報がより目立つように、付帯情報印字エリアの地に色を付けて、付帯情報自体を白抜きで印字してもよい。さらに、こうした付帯情報の印字色を指定できるようにしてもよい。
【００３８】
また、図８に示すインデックスプリント８２は、付帯情報の項目として、ファイル名と撮影日付に加えて、プリント注文情報を指定した例である。この例では、ファイル名については拡張子まで指定される。また、撮影日付は、その書式として、ドットで区切る書式が指定されており、撮影時刻の指定はされていない。プリント注文情報は、付帯情報を囲む枠８３として表示される。この枠８３が印字されたコマは、注文指定がなされたことを表す。この枠８３の色は、赤やピンクなどの原色系の目立つ色が使用される。もちろん、枠８３の色は、これらの色に限定されるものではなく他の色を使用してもよい。
【００３９】
なお、プリント注文情報の表示形態としては、枠以外でもよく、例えば、プリントの頭文字である「Ｐ」を使用してもよいし、菱形「◆」，星印「★」などの各種のマークを使用してもよい。
【００４０】
以下、上記上記構成による作用について図９に示すフローチャートを参照しながら説明する。オペレータは、顧客から預かったメモリーカード１１をカードリーダ２２にセットして、注文に応じてデジタルプリントサービス又はフォトＣＤ作成サービスを選択する。そして、画像選択画面において、コマ画像の選択を行った後、プリント注文処理又はフォトＣＤ作成処理の実行を指示する。インデックスプリントを出力する場合には、インデックスプリントボタン４７をクリックして、インデックス作成画面５６を表示させる。このとき、インデックス作成画面５６には、画像処理部２３によって標準設定に基づいて生成されたインデックス画像５７が表示される。このインデックス画像５７でよければプリントボタン６１をクリックする。これにより、インデックス画像５７のプリント処理が実行される。
【００４１】
他方、フォーマットや付帯情報項目の種類を変更したい場合には、出力オプションボタン６３をクリックして、フォーマット指定や付帯情報指定を行う。画像処理部２３は、この指定に応じてインデックス画像を生成する。指定が終了した後、プリントボタン６１をクリックすると、そのインデックス画像のプリント処理が実行される。このように、インデックス画像のフォーマットや付帯情報項目など指定に応じて変更できるようにしたので、顧客の要望に応じたインデックス画像を生成することができる。
【００４２】
上記実施形態の操作画面は１例であり、種々の変更が可能である。また、上記実施形態では、ユーザーの希望に応じてオペレータがマニュアルでインデックス画像のフォーマットを指定する例で説明しているが、例えば、画像データの記録画素数が大きい場合には、コマのサイズが大きいフォーマットを選択し、記録画素数が小さい場合には、コマのサイズが小さいフォーマットが選択されるというように、画像データやＥｘｉｆｔａｇデータに応じて、フォーマットが自動的に選択されるようにしてもよい。
【００４３】
また、上記実施形態では、付帯情報項目として、ファイル名，撮影日付，撮影条件，プリント注文情報を例に説明したが、付帯情報項目としては、これ以外にも各種のものが考えられる。それらを適宜使用してもよい。また、上記実施形態では、サムネイル画像の近傍に、付帯情報印字エリアを設け、そのエリアに付帯情報を印字する例で説明しているが、独立した付帯情報印字エリアを設けずに、サムネイル画像内に重ねて記録してもよい。
【００４４】
図１０に示すインデックスプリント８６は、付帯情報項目として、ファイル名，撮影日付，撮影条件に加えて、コマ識別情報８７を印字したものである。コマ識別情報８７としては、例えば、１オーダーに含まれる全コマに対して１番から連番で割り当てられる番号が使用される。こうした番号を付与すれば、次回プリント注文をする際に、ファイル名を指定することなく、分かりやすいコマ識別番号でプリントコマの指定ができるようになるので、便利である。また、この番号がコマ識別番号であることが明確に分かるように、他の情報とは異なるフォントを使用したり、図に示すように、枠で囲んだりするとよい。また、コマ識別情報は、数字でなくてもよく、「あいう・・・」，「Ａ，Ｂ，Ｃ，Ｄ・・・」などの文字を使用してもよい。さらに、文字と数字の組み合わせでもよい。
【００４５】
また、図１１に示すインデックスプリント８８は、図４の画像選択画面４１と同様にプリント適正を示す記録画素数を★印で表し、これを付帯情報項目として、印字した例である。もちろん、★印の代わりに他のマークを使用してもよいし、記録画素数そのものを数字で印字してもよい。
【００４６】
図１２に示すインデックスプリント８９は、インデックス画像に含まれる各コマを「旅行」や「運動会」などのイベント毎にグルーピングして、各グループ毎の見出し９１を設けたものである。見出し９１は、例えば、サムネイル画像１コマ分の記録エリアを使用して印字される。こうしたコマのグルーピングや、見出し情報は、受付時に顧客からの申告に基づいてオペレータがマニュアルで入力操作を行ってもよいし、予め顧客がグルーピング情報を画像データに付与しておき、そのグルーピング情報をカードリーダ２２から取り込むことにより自動的に入力するようにしてもよい。また、イベント毎に空白のコマを確保して、インデックスプリントを作成し、前記空白のコマにユーザーが任意の見出し情報をペンで書き込めるようにしておいてもよい。また、イベント毎にグルーピングする他に、所定の撮影期間毎、カメラの撮影機種毎など各種の基準に従ってグルーピングしてもよい。
【００４７】
また、インデックスプリントに使用される用紙としては、１枚の用紙に１画面分のインデックス画像をプリントする例で説明しているが、図１３に示すように、１枚のプリント用紙に複数画面のインデックス画像をプリント可能な用紙９３を使用してもよい。こうすれば、例えば、１オーダ分のインデックス画像など、複数画面に渡るインデックス画像を１枚の用紙に記録することができる。この用紙９３は、メディアケースサイズの用紙を複数枚連ねた形状とすることで、ケースサイズに収まるサイズに折り畳むことができる。
【００４８】
また、作成したインデックス画像は、プリント出力しなくてもよく、上述した画像選択画面のように、ディスプレイに出力するのみでもよいし、インデックス画像データとして、リムーバブルメディアに出力してもよい。
【００４９】
プリント業者が使用するデジタルイメージング端末装置を例に説明したが、本発明をインデックス画像作成プログラムの形態で実現し、これをエンドユーザーのパーソナルコンピュータにインストールして利用するようにしてもよい。
【００５０】
また、インデックス画像の生成に用いられるコマ画像データとしては、デジタルカメラで撮影したコマ画像でなくてもよく、ネットからダウンロードした画像データでもよい。また、ネガフイルムなどの写真フイルムに記録されたコマをスキャナで読み取ることでデジタイズされたコマ画像データに基づいてインデックス画像を作成してもよい。また、静止画に限らず動画データでもよい。動画データの場合には、動画の先頭コマなどその動画を代表する代表コマをインデックス画像を構成するサムネイル画像として使用する。また、動画データを使用した場合には、動画の再生時間を付帯情報として使用してもよい。
【００５１】
リムーバブルメディアの種類としては、ＣＤ−Ｒ，ＣＤ−ＲＷなどのＣＤメディアに限らず、ＤＶＤ±Ｒ，ＤＶＤ±ＲＷ，ＤＶＤ−ＲＡＭなどのＤＶＤメディア，ＭＯメディアなど各種のメディアを使用することができる。
【図面の簡単な説明】
【００５２】
【図１】デジタルイメージング端末装置の構成図である。
【図２】メモリーカードに記録される画像ファイルの説明図である。
【図３】サービスメニュー選択画面の説明図である。
【図４】画像選択画面の説明図である。
【図５】インデックスプリント作成画面の説明図である。
【図６】フォーマット選択画面及び付帯情報指定画面の説明図である。
【図７】インデックスプリントの例である。
【図８】プリント注文情報を印字したインデックスプリントの例である。
【図９】操作手順を示すフローチャートである。
【図１０】コマ識別情報を印字したインデックスプリントの例である。
【図１１】記録画素数を示すマークを印字したインデックスプリントの例である。
【図１２】イベント毎の見出しを印字したインデックスプリントの例である。
【図１３】複数画面に渡るインデックスをプリント可能な用紙の例である。
【符号の説明】
【００５３】
１０  デジタルイメージング端末装置
１１  メモリーカード
１２  フォトＣＤ
１４，８１，８２，８６，８８，８９  インデックスプリント
２３  画像処理部
２８  操作部
２９  インデックス用プリンタ
５６  インデックスプリント作成画面
６３  出力オプションボタン
６６  オプションメニュー
６７  フォーマット選択画面
６８  付帯情報選択画面
【図１】
2005038308.tif 000003
【図２】
2005038308.tif 000004
【図３】
2005038308.tif 000005
【図４】
2005038308.tif 000006
【図５】
2005038308.tif 000007
【図６】
2005038308.tif 000008
【図７】
2005038308.tif 000009
【図８】
2005038308.tif 000010
【図９】
2005038308.tif 000011
【図１０】
2005038308.tif 000012
【図１１】
2005038308.tif 000013
【図１２】
2005038308.tif 000014
【図１３】
2005038308.tif 000015